(57)【要約】【課題】所定撮影条件の下で記録された画像信号から撮影光源の分光エネルギー分布を推定する、また、この結果を露光制御に応用する。【解決手段】未知の分光エネルギー分布の光で記録された画像のセンサ出力値データと、種々の組み合わせからなる主成分ベクトルから形成される分光エネルギー分布に対応するセンサ出力値データの差を最小にする主成分ベクトルの組み合わせを撮影光源の分光エネルギー分布とする。ネガフィルムを測光した透過濃度から（ステップ１０６）、種々の組み合わせからなる主成分ベクトルを用いて、評価値を求める（ステップ１０８）。そして、求めた評価値が最小となる主成分ベクトルの組み合わせを撮影光源の分光エネルギー分布と推定する（ステップ１１０）。【選択図】図１５
2004279186.tif 000002
【特許請求の範囲】
【請求項１】
複数の予め定めた関数の一次結合で表わした光源の分光エネルギー分布と、測光系の分光感度と、予め定めた複数の関数の一次結合で表わした分光反射率分布の積の積和または積分値で定められた基準値とを求め、
分光エネルギー分布推定対象の光源からの反射光の少なくとも一部を信号として測定し、
前記基準値と測定により得た測定値との差が最小となる分光反射率分布を、光源エネルギー分布の一次結合の種類ごとに求め、
前記求めた分光反射率分布の最大値が１．０を越えた異常成分の和を評価値として求め、
この評価値の最小値に対応する光源エネルギー分布の一次結合を、前記エネルギー分布推定対象の光源のエネルギー分布とすることを特徴とする光源エネルギー分布推定方法。
【請求項２】
前記予め定めた複数の関数の各々が、複数の光源データから求めた主成分ベクトルであることを特徴とする請求項１に記載の光源エネルギー分布推定方法。
【請求項３】
前記複数の光源データから求めた主成分ベクトルとしては、少なくとも第３主成分までを用いることを特徴とする請求項２に記載の光源エネルギー分布推定方法。
【請求項４】
前記基準値を予め求め、記憶手段に記憶しておくことを特徴とする請求項１〜３のいずれか１項に記載の光源エネルギー分布推定方法。
【請求項５】
複数の予め定めた関数の一次結合で表わした光源の分光エネルギー分布と、測光系の分光感度と、予め定めた複数の関数の一次結合で表わした分光反射率分布の積の積和または積分値で定められた基準値とを記憶した記憶手段と、
分光エネルギー分布推定対象の光源からの反射光の少なくとも一部を信号として測定する測定手段と、
前記基準値と測定により得た測定値との差が最小となる分光反射率分布を、光源エネルギー分布の一次結合の種類ごとに演算する分光反射率分布演算手段と、前記求めた分光反射率分布の最大値が１．０を越えた異常成分の和を評価値として演算する評価値演算手段と、
この評価値演算手段により演算した評価値の最小値に対応する光源エネルギー分布の一次結合を、前記エネルギー分布推定対象の光源のエネルギー分布と推定する推定手段とを備えたことを特徴とする光源エネルギー分布推定装置。
【請求項６】
前記予め定めた複数の関数の各々が、複数の光源データから求めた主成分ベクトルであることを特徴とする請求項５に記載の光源エネルギー分布推定装置。
【請求項７】
前記複数の光源データから求めた主成分ベクトルとしては、少なくとも第３主成分までを用いることを特徴とする請求項６に記載の光源エネルギー分布推定装置。
【請求項８】
請求項１〜４のいずれか１項に記載の光源エネルギー分布推定方法により推定された光源の分光エネルギー分布の情報と、
所定撮影条件の下で写真フィルムに撮影された撮影光源エネルギー分布推定対象とした画像の少なくとも一部の画像を測光した測光データとに基づいて、前記写真フィルムの焼き付け対象画像のグレイが推定した光源の分光エネルギー分布の下でグレイとなるように、複写感材に焼き付けるための露光量を決定することを特徴とする露光量決定方法。
【発明の詳細な説明】
【０００１】
【発明の属する技術分野】
本発明は、被写体を照明している光源種を判別する光源エネルギー分布推定方法およびこれを用いる露光量決定方法に係り、具体的には、前記光源により照明されている被写体を撮像した情報から照明光源の光源エネルギー分布を推定する方法および光源エネルギー分布推定装置、並びに露光量決定方法に関する。
【０００２】
【従来の技術】
写真フィルム（以下、単にフィルムという）画像を印画紙等の複写感材へ焼き付けるときの焼き付け露光量は、フィルムが撮影時に被写体から受けた光量によって決定され、１コマ毎に異なっている。色再現性の良好なプリントを得るためには、撮影条件に応じた焼き付け露光量の補正が必要となる。
【０００３】
このため、一般に、カラー原画から複写感材へカラー画像を再現するときの露光量は、色素フィルタや蒸着フィルタで構成された色分解フィルタを備えた測光装置を用いて赤（Ｒ），緑（Ｇ），青（Ｂ）光の積算透過濃度を測定し、Ｒ，Ｇ，Ｂ光各々について決定することによって、グレイバランスを定めている。
【０００４】
しかしながら、背景等のカラーフェリアや現像条件等によって撮影光質情報が変化することがあるため、光質を正確に推定することはできず、被写体照明光の光質の変化によって色再現性が悪化することがある。これは、フィルム上の何れの位置がグレイであるかの判断ができないためである。
【０００５】
このフィルム上にあるグレイを検出するのに最も有効な方法は、撮影光源の色温度を推定することである。これに関しては、例えば本出願人の出願に係る特許文献１に、所定の撮影条件の下で記録された画像の信号から、撮影光源の分光エネルギー分布を推定する方法が提案されている。
【０００６】
この方法は、被写体を撮影する際に用いた光源の色温度を推定することを目的とするもので、具体的には、撮影された画像の情報から、光源の色温度を推定するものである。その原理は、要するに、Ｒ（赤），Ｇ（緑），Ｂ（青）のバランス、Ｇを基点とすれば、ＲとＢがどういうバランスになっているかから、光源の色温度を推定するものである。
【０００７】
すなわち、撮影された画像の情報は、光源の分光エネルギー分布と、被写体の分光反射率分布との掛け算の結果になっていることから、ここでは、光源の色温度を仮定して、被写体の分光反射率を推定するという処理を、各種の光源について一通り実施することになる。
【０００８】
しかし、実際に撮影された画像のデータについて、このような波形の予測を行うと、仮定した光源によっては、不合理なデータが出ることがある。つまり、反射率が１００％を超えるとか、マイナスの値が出るとか、という通常はあり得ない異常な値が出ることがある。
【０００９】
こういった異常な値が出た場合に、それをペナルティとして加算していくという処理を、画像中の全画素（もしくは、ある、抜き取られた画素）について行うことで、横軸に色温度をとって、上述のペナルティの値をプロットすると、図１７に示すようになる。
【００１０】
そして、この図の中の、上述のペナルティの値が一番低い点に対応する色温度が、ここで推定される、実際に撮影に用いられた光源である確率が一番高い光源であるということになる。
以上が、特許文献１に開示されている技術の概要である。
【００１１】
【特許文献１】
特開平８−１２２１５７号公報
【００１２】
【発明が解決しようとする課題】
本発明は、上述の技術をさらに改良して、推定精度を向上させることを目的とするものであり、より具体的には、従来は不可能であった、分光エネルギー分布が判っていない（すなわち、分光エネルギー分布が未知の）光源をも含めて、撮影に用いられた光源の分光エネルギー分布を推定して、実際の光源を推定することを可能にすることを目的とする。
【００１３】
本発明のさらに他の目的は、上述の光源エネルギー分布推定方法により推定した光源のエネルギー分布を基に、複写感材に焼き付けるための最適な露光量を決定することを可能とする露光量決定方法を実現することにある。
【００１４】
【課題を解決するための手段】
上記目的を達成するため、本発明に係る光源エネルギー分布推定方法は、複数の、予め定めた関数の一次結合で表わした光源の分光エネルギー分布，測光系の分光感度および予め定めた複数の関数の一次結合で表わした分光反射率分布の積の積和または積分値で定められた基準値を求め、分光エネルギー分布推定対象の光源からの反射光の少なくとも一部を信号として測定し、前記基準値と測定により得た測定値との差が最小となる分光反射率分布を、光源エネルギー分布の一次結合の種類ごとに求め、前記求めた分光反射率分布の最大値が１．０を越えた異常成分の和を評価値として求め、この評価値の最小値に対応する光源エネルギー分布の一次結合を、前記エネルギー分布推定対象の光源のエネルギー分布とすることを特徴とする。
【００１５】
ここで、前記予め定めた複数の関数の各々は、複数の光源データから求めた主成分ベクトルであることを特徴とする。なお、前記複数の光源データから求めた主成分ベクトルとしては、少なくとも第３主成分までを用いることが好ましく、より高精度を得るためには、第５主成分までを用いることが好ましい。また、前記基準値は予め求め、記憶手段に記憶しておくことが好ましい。
【００１６】
また、本発明に係る光源エネルギー分布推定装置は、複数の予め定めた関数の一次結合で表わした光源の分光エネルギー分布と、測光系の分光感度と、予め定めた複数の関数の一次結合で表わした分光反射率分布の積の積和または積分値で定められた基準値とを記憶した記憶手段と、分光エネルギー分布推定対象の光源からの反射光の少なくとも一部を信号として測定する測定手段と、前記基準値と測定により得た測定値との差が最小となる分光反射率分布を、光源エネルギー分布の一次結合の種類ごとに演算する分光反射率分布演算手段と、前記求めた分光反射率分布の最大値が１．０を越えた異常成分の和を評価値として演算する評価値演算手段と、この評価値演算手段により演算した評価値の最小値に対応する光源エネルギー分布の一次結合を、前記エネルギー分布推定対象の光源のエネルギー分布と推定する推定手段とを備えたことを特徴とする。
【００１７】
ここで、前記予め定めた複数の関数の各々は、複数の光源データから求めた主成分ベクトルであることを特徴とする。なお、前記複数の光源データから求めた主成分ベクトルとしては、少なくとも第３主成分までを用いることが好ましく、より高精度を得るためには、第５主成分までを用いることが好ましい。
【００１８】
また、本発明に係る露光量決定方法は、上述のような光源エネルギー分布推定方法により推定された光源の分光エネルギー分布の情報と、所定撮影条件の下でフィルムに撮影された撮影光源エネルギー分布推定対象とした画像の少なくとも一部の画像を測光した測光データとに基づいて、前記フィルムの焼き付け対象画像のグレイが推定した光源の分光エネルギー分布の下でグレイとなるように、複写感材に焼き付けるための露光量を決定することを特徴とする。
【００１９】
【作用】
次に、本発明の作用について説明する。
【００２０】
撮影光源の分光エネルギー分布をＰ（λ）、撮影に供するフィルムの分光感度分布をＳ（λ）、撮影被写体の分光反射率分布をρ（λ）とすると、露光量データＥは、次の式（１）で表わすことができる。
【数１】
2004279186.tif 000003
【００２１】
しかしながら、被写体の分光反射率分布は、撮影時の撮影画像に応じて異なるので、特定することができず、フィルム上の画像から撮影光源の分光エネルギー分布等を推定することが困難であったことは、前述の通りである。
【００２２】
これに対して、本発明に係る光源の分光エネルギー分布推定方法においては、未知の分光エネルギー分布を有する光源の分光エネルギー分布を、標準光源といわれる既知の各種の光源の主成分分析結果に基づく主成分ベクトルを求め、この主成分ベクトルをｖｊ  （λ）とするとき、以下の式（２）に従って光源の分光スペクトル分布を発生させるようにしたものである。
【００２３】
【数２】
2004279186.tif 000004
【００２４】
ここでは、ｋ個の加重係数ｂｎ  をさまざまに変化させて、上記式（２）に従って光源の分光エネルギー分布Ｐ（λ）を発生させる。こうして発生させた光源の分光エネルギー分布Ｐ（λ）について、前述の特許文献１に開示されている方法で、評価値Ｖを求める。求められた評価値Ｖについて、最も小さいＶ値を与える加重係数ｂｎ  を求める。
【００２５】
そして、最小のＶ値を与える加重係数ｂｎ  について、上記式（２）に従って光源の分光エネルギー分布を計算し、得られた光源分光分布が、撮影に使用された光源の分光分布であると推測する。
以上が、本発明の作用の概要である。より詳細には、以下の通りである。
【００２６】
【発明の実施の形態】
未知の分光エネルギー分布を有する光源で照明された光源からの光で照明された被写体を撮影した場合のセンサ出力値データ（Ｅｉｊ０  ）がある場合、その被写体が記録されたときの光源の分光エネルギー分布を求めることを想定すると、次の式（３）に示すように、データＥｉｊ０  と、前述の、加重係数ｂｎ  をさまざまに変化させて、前述の式（２）に従って発生させた光源の分光エネルギー分布Ｐ（λ）に対応するセンサ出力値ＥｉｊＴ  との差ΔＥを最小にする分光エネルギー分布を有する光源が解である。
【００２７】
【数３】
2004279186.tif 000005
【００２８】
上述の式（３）のΔＥの最小化演算を実行するため、ここでは、モデル演算として、ＪＩＳＺ８７２０の標準の光Ａ，Ｄ６５，Ｃおよび補助標準の光Ｄ５０，Ｄ５５，Ｄ７５の６種の光源と、ＪＩＳＺ８７１９に記載の１２種類の蛍光灯との、計１８種の光源分光スペクトルに対して、主成分分析を適用して、その主成分ベクトルを求めた。
【００２９】
図１〜図５に、その特性を示した。なお、ここで、図１は第１主成分を、図２は第２主成分をというように、第５主成分までを示している。
こうして求めた主成分ベクトルについて、前述の式（２）に従って種々の光源の分光スペクトル分布を発生させる。
【００３０】
ここでは、上述のｋ個の加重係数ｂｊ  をさまざまに変化させて、前記式（２）に従って多数の光源分光分布Ｐ（λ）を発生させる。こうして発生させた光源の分光エネルギー分布Ｐ（λ）について、被写体としてマクベスチャート２４色を用いた場合について、上記式（３）のΔＥの最小化を行った。なお、ここで、データＥｉｊ０  は、実際のフィルムの分光感度および実測の分光反射率を用いて全記式（１）を変形した下記の式（４）から求めている。
【００３１】
【数４】
2004279186.tif 000006
【００３２】
ところで、種々のｂｎ  の値に対応する光源の分光エネルギー分布Ｐ（λ）の中には、これに対応するものとして復元される被写体の分光反射率に異常な値を示すものが含まれる場合がある。すなわち、得られる分光反射率ρｉ  （λ）が負の値になったり、１．０を大幅に超える場合がある。
【００３３】
分光反射率ρｉ  （λ）は、負の値や１．０を超えることはない（つまり、０≦ρｉ  （λ）≦１）ので、逆に、この異常な分光反射率ρｉ  （λ）を示す元になった光源の分光エネルギー分布Ｐ（λ）が、「真の」光源の分光エネルギー分布Ｐ（λ）からずれていると想定することができる。
【００３４】
このため、下記の式（５）で示される評価値Ｖを導入する。
【数５】
2004279186.tif 000007
【００３５】
そして、この評価値Ｖを、種々のｂｎ  の値に対応する光源の分光エネルギー分布Ｐ（λ）に対して演算し、この評価値Ｖが最小となるｂｎ  の組み合わせに対応する光源の分光エネルギー分布Ｐ（λ）を、実際の撮影に使用された光源の分光エネルギー分布Ｐ（λ）と推定する。
【００３６】
図６〜図９に、上述の方法により求めた、光源の分光エネルギー分布と、対象としたフィルム上の画像が実際に撮影されたときに用いられた光源の、いわば、「真の」分光エネルギー分布とを対比させて示す。
なお、ここでは、前述の主成分ベクトルを第３主成分まで用いた場合と、第５主成分まで用いた場合とも比較して示す。
【００３７】
まず、図６は、一般的なキセノンランプの分光エネルギー分布（実線で示されている）と、これを用いて撮影されたフィルム上の画像について、本発明に係る推定方法を適用して求めた「推定された」光源の分光エネルギー分布（一点鎖線で示されている）とを比較する図である。なお、ここでは、主成分ベクトルを第３主成分まで用いた場合を示している。
【００３８】
また、図８は、上述の組み合わせを、主成分ベクトルを第５主成分まで用いた場合を示している。両者を比較すれば明らかなように、主成分ベクトルを第３主成分まで用いた場合  （図６）に比べて、主成分ベクトルを第５主成分まで用いた場合（図８）には、実際の特性と、推定した結果との一致度に若干の差異が認められるが、主成分ベクトルを第３主成分まで用いた場合でも、実用的には、十分利用可能なレベルである。
【００３９】
次に、図７および図９は、市販の蛍光灯とタングステン電球とを両方用いた状況での撮影の場合を示すもので、両図において、実線で示されているのは、これらの２つの光源を両方点灯した状態における、組み合わせ状態の分光エネルギー分布、また、一点鎖線で示されているのは、この状況で、本発明に係る推定方法を適用して求めた「推定された」光源の分光エネルギー分布である。
【００４０】
なお、図７は、主成分ベクトルを第３主成分まで用いた場合を示しており、図９は、主成分ベクトルを第５主成分まで用いた場合を示している。この場合においても、主成分ベクトルを第３主成分まで用いた場合（図７）に比べて、主成分ベクトルを第５主成分まで用いた場合（図９）には、実際の特性と、推定した結果との一致度に若干の差異が認められるが、主成分ベクトルを第３主成分まで用いた場合でも、実用的には、十分利用可能なレベルである。
【００４１】
次に、参考までに、図７および図９に示した状況下で、主成分ベクトルを第２主成分まで用いて、本発明に係る方法による光源の分光エネルギー分布の推定を行った場合の結果を、図１０に示す。
図１０から明らかなように、主成分ベクトルを第２主成分まで用いる推定方法では、推定の精度が不十分であり、実用になるとはいいがたい。
【００４２】
以上の結果から、本発明に係る光源の分光エネルギー分布の推定方法においては、少なくとも主成分ベクトルを第３主成分まで用いて推定を行うことが好ましく、より好ましくは、主成分ベクトルを第５主成分まで用いて推定を行うことであるということができる。
【００４３】
前述の通り、本発明に係る光源の分光エネルギー分布の推定方法によって得られた光源の分光エネルギー分布の情報は、これを、写真プリント（焼き付け）時におけるプリントの露光時間の制御に応用することが可能である。
【００４４】
なお、フィルムの焼き付け対象画像を複写感材としてのプリント感材に焼き付ける際に、この推定した分光エネルギー分布を有する光源に基づいて、プリントの露光時間を制御するという応用を想定した場合には、前述のセンサの分光感度分布Ｓｊ  （λ）を、フィルムの感度分布、例えば図１１に示すようなカラーネガフィルムの感度分布に置き換えることで適用可能である。
【００４５】
ここで、フィルムから発色濃度を測光するための光源の分光エネルギー分布，プリント感材の分光感度分布は、予め測定することによって求められるから、フィルムによって異なるフィルムの分光透過率分布が定まれば、プリント感材の分光感度分布と等しい分光感度分布の測光装置で測光した濃度も求めることができる。この技術に関しては、特開平４−３１０９４２号公報に記載のフィルムの分光分布推定方法にも記載がある。
【００４６】
【実施例】
以下、具体的な実施例を上げて説明する。
本実施例は、本発明を、自動プリンタに適用したものである。
【００４７】
図１２は、上述の、推定した光源の分光エネルギー分布に基づく焼き付け方法によって写真を焼き付ける自動プリンタの概略図を示したものである。
ネガキャリア２１に装填されて焼き付け部に搬送されたカラーネガフィルム２０の下方には、ミラーボックス１８およびハロゲンランプを備えたランプハウス１０が配列されている。ミラーボックス１８とランプハウス１０との間には、調光フィルタ６０が配置されている。調光フィルタ６０は、周知のようにＹ（イエロー）フィルタ，Ｍ（マゼンタ）フィルタおよびＣ（シアン）フィルタの３つのフィルタで構成されている。
【００４８】
ネガフィルム２０の上方には、レンズ２２，ブラックシャッタ２４およびカラーペーパ２６が順に配置されており、ランプハウス１０から照射されて調光フィルタ６０，ミラーボックス１８およびカラーネガフィルム２０を透過した光が、レンズ２２によってカラーペーパ２６上に結像するように構成されている。
【００４９】
カラーネガフィルム２０の側縁部には、カラーネガフィルムの種類を表わすＤＸコートが記録されるとともに、ノッチが穿設されている。このＤＸコードやノッチを検出するために、ネガフィルム２０の側縁を挟むように、発光素子と受光素子とで構成された検出器５２が配置されている。
【００５０】
上に説明した結像光学系の光軸に対して傾斜した方向で、かつカラーネガフィルム２０の画像濃度を測光可能な位置に、測光器２８が配置されている。この測光器２８は、中心波長が４５０±５ｎｍ，５５０±５ｎｍ，７００±５ｎｍで半値幅が各々１５〜５０ｎｍの３つのフィルタと２次元イメージセンサとで構成されている。この測光器２８によって、カラーネガフィルムから透過した光を３つの波長帯に分光して測定することができる。
【００５１】
測光器２８は、測光器２８で測光された画像データを記憶する画像データメモリ３０を介してマイクロコンピュータで構成された露光量決定装置３２に接続されている。露光量決定装置３２は、入出力ポート３４，中央処理装置（ＣＰＵ）３６，リードオンリメモリ（ＲＯＭ）３８，ランダムアクセスメモリ（ＲＡＭ）４０およびこれらを接続するデータバスやコントロールバス等で構成されたバス４２を備えている。
【００５２】
このＲＯＭ３８には、以下で説明する露光量制御ルーチンのプログラムや図１３に示すカラーネガフィルムの固有ベクトルｅ１  （λ）、ｅ２  （λ）、ｅ３  （λ）の分布がフィルム種毎に記憶されている。なお、図１３では、１種のフィルムに対する固有ベクトルの分布を示したが、他の種類のフィルムについても略同様である。また、このＲＯＭ３８には、ランプハウス１０内のハロゲンランプの分光エネルギー分布，使用するペーパーの分光感度分布，上記３つのフィルタの透過波長域に対応する測光器の３つの分光感度分布が予め記憶されている。
【００５３】
なお、ペーパーを変更する場合には、予めＲＯＭに複数種のペーパーの分光感度分布を記憶しておいてキーボードによって使用するペーパーの分光感度分布を選択してもよく、また、フレキシブルディスク等の外部メモリに記憶した必要なペーパーの分光感度分布を、ＲＡＭに読み込むようにしてもよい。また、ランプを交換したときには、ランプの分光エネルギー分布を変更するようにすることも好ましい。
【００５４】
そのために、ランプの分光エネルギー分布を直接またはフィルタを通して測光器２８で測光してメモリするようにしても、専用のランプ監視センサを用いてランプの分光エネルギー分布を常に修正して用いるようにしてもよい。さらに、このＲＯＭ３８には、カラーネガフィルムの分光感度分布（図１１参照）および被写体の固有ベクトル（図１４参照）等が記憶されている。
【００５５】
露光量決定装置３２は、画像データメモリ３０の書込みおよび読み出しタイミングを制御するように、画像データメモリ３０に接続されるとともに、測光器２８を駆動するように接続されている。また、入出力ポート３４は、駆動回路４８を介してネガキャリア２１に接続されるとともに、駆動回路５０を介して調光フィルタ６０に、駆動回路５４を介してブラックシャッタ２４に、それぞれ接続されている。また、入出力ポート３４には、キーボード４４，検出器５２およびＣＲＴ４６が接続されている。
【００５６】
次に、露光量決定装置３２のＲＯＭ３８に予め記憶された露光量制御ルーチンを、図１５を参照して説明する。ネガキャリア２１にカラーネガフィルム２０が装填されてスタートスイッチがオンされると、ステップ１００において、駆動回路４８によってネガキャリア２１が駆動されることにより、カラーネガフィルム２０の搬送が行われる。カラーネガフィルム２０が搬送されている間に、検出器５２によってＤＸコードが読み取られるとともに、ノッチが検出される。
【００５７】
次のステップ１０２では、検出器５２によってノッチが検出されたか否かを判断し、ノッチが検出されたと判断されたときには、ステップ１０４においてカラーネガフィルム２０の搬送を停止することにより、カラーネガフィルム２０上のこま画像を焼き付け露光位置に停止させる。ステップ１０６では、測光器２８を駆動してネガフィルム２０の透過濃度を測光する。測光器２８は、３つのフィルタを備えているため、ネガフィルムの透過濃度が３つの波長帯に分光されて測光されることになる。
【００５８】
次のステップ１０８では、読み取られたＤＸコードによってフィルム種を判別し、判別されたフィルム種に対応するカラーネガフィルムの分光感度分布をＲＯＭから読み出し、測光器２８による測光値，推定した光源の分光エネルギー分布並びにカラーネガフィルムの分光感度分布を用いて、先に説明した評価値Ｖを求める。
【００５９】
すなわち、前述の式（３）により、ΔＥが最小となる加重係数ｂｎ  を求め、求めた加重係数ｂｎ  を用いて前述の式（４）により、分光反射率を復元する。この復元された分光反射率を用いて前述の式（５）から評価値Ｖを求める。なお、センサ出力値として実際に用いる測光器２８による測光値は、ネガフィルムの透過濃度値であるため、図１６に示すフィルムの濃度−露光量特性曲線を用いて露光量を演算し、分光反射率の復元に用いる。
【００６０】
次のステップ１１０では、先に説明したように、求めた評価値Ｖが最小となるような、光源の分光エネルギー分布を推定する。
【００６１】
次のステップ１１２では、ステップ１１０で推定された撮影光源の色温度に基づいて露光量を演算し、ステップ１１４においてこの露光量に基づいて、調光フィルタ６０を制御して露光量制御を行う。
【００６２】
ステップ１１４で、調光フィルタ６０による露光量制御が終了すると、ステップ１１６において全こまの焼き付けが終了したか否かを判断し、終了していないときはステップ１００に戻って上記ステップを繰り返し、終了している場合にはこのルーチンを終了する。
【００６３】
上記実施例において、測光器２８および画像データメモリ３０から構成される測光手段と、露光量決定装置３２とから装置を構成し、上述の露光量制御ルーチンにおいてステップ１１０までを実行させることによって、この装置は、撮影光源の分光エネルギー分布をデータとして出力する装置としても機能することになる。
【００６４】
また、上記実施例では、本発明を、自動プリンタに適用した場合を例として説明したが、上述の撮影光源の分光エネルギー分布推定装置を、写真カメラ等の撮影装置に備えてもよい。この場合、得られる撮影光源の分光エネルギー分布をフィルムに記録し、プリンタやディスプレイに表示する顕像装置等の複写装置において、フィルムから記録された分光エネルギー分布のデータを読み取るようにしてもよい。
【００６５】
【発明の効果】
以上説明したように本発明によれば、すなわち、分光エネルギー分布が未知の光源をも含めて、撮影に用いられた光源の分光エネルギー分布を推定して、実際の光源を推定することが可能になるという顕著な効果が得られる。
また、この光源エネルギー分布の推定方法により推定した光源のエネルギー分布を基に、複写感材に焼き付けるための最適な露光量を決定することを可能とする露光量決定方法を実現できるという実用的な効果も得られる。
【図面の簡単な説明】
【図１】本発明において用いる主成分ベクトルの例を示す図（その１）である。
【図２】本発明において用いる主成分ベクトルの例を示す図（その２）である。
【図３】本発明において用いる主成分ベクトルの例を示す図（その３）である。
【図４】本発明において用いる主成分ベクトルの例を示す図（その４）である。
【図５】本発明において用いる主成分ベクトルの例を示す図（その５）である。
【図６】実施形態における、推定した光源の分光エネルギー分布と実際の光源の測定値との比較図（その１）である。
【図７】実施形態における、推定した光源の分光エネルギー分布と実際の光源の測定値との比較図（その２）である。
【図８】実施形態における、推定した光源の分光エネルギー分布と実際の光源の測定値との比較図（その３）である。
【図９】実施形態における、推定した光源の分光エネルギー分布と実際の光源の測定値との比較図（その４）である。
【図１０】実施形態における、推定した光源の分光エネルギー分布と実際の光源の測定値との比較図（その５）である。
【図１１】カラーネガフィルムの分光感度分布の一例を示す図である。
【図１２】実施例に係る、光源の分光エネルギー分布推定結果を適用した自動プリンタの概略図である。
【図１３】カラーネガフィルムの固有ベクトルの分光分布の一例を示す図である。
【図１４】被写体の固有ベクトルの分光分布の一例を示す図である。
【図１５】一実施例の露光量制御ルーチンを示す流れ図である。
【図１６】カラーネガフィルムの濃度−露光量特性を示す図である。
【図１７】色温度と評価値Ｖとの関係を示す図である。
【符号の説明】
２０  フィルム
２６  ペーパ
２８  測光器
【図１】
2004279186.tif 000008
【図２】
2004279186.tif 000009
【図３】
2004279186.tif 000010
【図４】
2004279186.tif 000011
【図５】
2004279186.tif 000012
【図６】
2004279186.tif 000013
【図７】
2004279186.tif 000014
【図８】
2004279186.tif 000015
【図９】
2004279186.tif 000016
【図１０】
2004279186.tif 000017
【図１１】
2004279186.tif 000018
【図１２】
2004279186.tif 000019
【図１３】
2004279186.tif 000020
【図１４】
2004279186.tif 000021
【図１５】
2004279186.tif 000022
【図１６】
2004279186.tif 000023
【図１７】
2004279186.tif 000024